(57)【要約】【課題】ユーザが読み取りを所望する画像の始端および終端をユーザに視認可能とする。【解決手段】ペン型電子辞書（１００）は、読み取り対象の画像に当てられる先端部（４）に、スキャナ窓部（１１、１１ｂ）と、上記スキャナ窓部の上流側に、上記読み取り対象の画像を視認可能な上流側窓部（１７）と、上記スキャナ窓部の下流側に、上記読み取り対象の画像を視認可能な下流側窓部（１８）と、を備える。【選択図】図１
2018077645.tif 000002
【特許請求の範囲】
【請求項１】
スキャナを手動で読み取り対象に当ててなぞるスキャン操作をユーザが実施することにより、読み取り対象の画像を取得するための走査が実行される画像読取機であって、
上記読み取り対象の画像に当てられる先端部に、
上記読み取り対象の画像から上記スキャナへの光が通過するスキャナ窓部と、
上記スキャン操作により上記スキャナが移動する方向に沿って、上記スキャナ窓部の上流側に、上記読み取り対象の画像を視認可能な上流側窓部と、
上記方向に沿って、上記スキャナ窓部の下流側に、上記読み取り対象の画像を視認可能な下流側窓部と、を備えることを特徴とする画像読取機。
【請求項２】
上記先端部は、透明部材と不透明部材が積層されてなり、
上記上流側窓部および上記下流側窓部の領域には、上記不透明部材が設けられていない
ことを特徴とする請求項１に記載の画像読取機。
【請求項３】
上記下流側窓部の上記透明部材に、上記スキャナ窓部の上記下流側の端部の位置を示す下流側マーカーを備える
ことを特徴とする請求項２に記載の画像読取機。
【請求項４】
上記下流側マーカーは、上記スキャナの撮像範囲の中心を示す
ことを特徴とする請求項３に記載の画像読取機。
【請求項５】
上記下流側窓部の上記透明部材に、上記スキャナの撮像範囲の境界を示す下流側境界マーカーを備える
ことを特徴とする請求項２から４の何れか１項に記載の画像読取機。
【請求項６】
上記上流側窓部の上記透明部材に、上記スキャナ窓部の上記上流側の端部の位置を示す上流側マーカーを備える
ことを特徴とする請求項２から５の何れか１項に記載の画像読取機。
【請求項７】
上記上流側マーカーは、上記スキャナの撮像範囲の中心を示す
ことを特徴とする請求項６に記載の画像読取機。
【請求項８】
上記上流側窓部の上記透明部材に、上記スキャナの撮像範囲の境界を示す上流側境界マーカーを備える
ことを特徴とする請求項２から７の何れか１項に記載の画像読取機。
【請求項９】
上記上流側窓部の上記透明部材に、上記スキャナの撮像範囲の中心を示す線、および、上記スキャナの撮像範囲の境界を示す線を備える
ことを特徴とする請求項２から７の何れか１項に記載の画像読取機。
【発明の詳細な説明】
【技術分野】
【０００１】
本発明は、スキャナを手動で読み取り対象に当ててなぞるスキャン操作をユーザが実施する画像読取機に関する。
【背景技術】
【０００２】
スキャナを手動で操作して画像を読み取り、読み取った画像を認識するための構成を備える画像読取機が従来技術として知られている。
【０００３】
例えば、特許文献１には、単語を含む画像を読み取る際、当該画像の終点よりも手前でスキャンを終了してしまった結果、当該単語の後ろ方向の操作が短いなどの理由によって正しく単語を読み取ることが出来なかった場合はエラーメッセージを出力する電子機器が開示されている。特許文献２には、余分にスキャンを実行した結果、画像を読み取って認識された文字列に不要な文字が含まれる場合は、不要文字削除キーを操作して当該不要な文字を削除する筆記用具型電子辞書装置が開示されている。
【先行技術文献】
【特許文献】
【０００４】
【特許文献１】特開平８−２２１５５５号公報（１９９６年８月３０日公開）
【特許文献２】特開２０００−１６３４２６号公報（２０００年６月１６日公開）
【発明の概要】
【発明が解決しようとする課題】
【０００５】
しかしながら、上述のような従来技術は、ユーザが、読み取りを所望する画像に対して画像読取機の読み取り開始位置を正しく合わせることができないという問題がある。すなわち、スキャナが読み取りを実行する領域に対して読み取り開始位置側を上流とし、読み取り終了位置側を下流とすると、スキャナによる読み取り可能領域より下流側の領域を視認することができない。ゆえに、ユーザは、画像読取機の読み取り開始位置と、読み取りを所望する画像の始端および終端との位置を合わせることが困難であった。そのため、ユーザは、推測によっておおよその位置に画像読取機を配置することしかできなかった。その結果、ユーザは、例えば、画像を読み取る際、読み取りを所望する画像の始点よりも手前からスキャンを開始する、読み取りを所望する画像の終点よりも余分にスキャンを実行する、および読取を所望する画像の終点よりも手前でスキャンを終了するという問題がある。
【０００６】
本発明の一態様は、ユーザが読み取りを所望する画像の読み取り開始位置をユーザが確認することができる画像読取機を提供することを目的とする。
【課題を解決するための手段】
【０００７】
上記の課題を解決するために、本発明の一態様に係る画像読取機は、スキャナを手動で読み取り対象に当ててなぞるスキャン操作をユーザが実施することにより、読み取り対象の画像を取得するための走査が実行される画像読取機であって、上記読み取り対象の画像に当てられる先端部に、上記読み取り対象の画像から上記スキャナへの光が通過するスキャナ窓部と、上記スキャン操作により上記スキャナが移動する方向に沿って、上記スキャナ開口部の上流側に、上記読み取り対象の画像を視認可能な上流側窓部と、上記方向に沿って、上記スキャナ開口部の下流側に、上記読み取り対象の画像を視認可能な下流側窓部と、を備える構成である。
【発明の効果】
【０００８】
本発明の一態様によれば、ユーザが読み取りを所望する画像の始端および終端をユーザが確認することができる画像読取機を提供することができるという効果を奏するという効果を奏する。
【図面の簡単な説明】
【０００９】
【図１】本発明の実施形態１に係るペン型電子辞書の外観を示す外観図である。
【図２】本発明の実施形態１、２に係る先端部を示す三面図である。
【図３】本発明の実施形態１、２に係る先端部を構成する透過部および支持部の外観を示す外観図であり、図３の（ａ）は透過部の外観を示し、図３の（ｂ）は支持部の外観を示す。
【図４】本発明の実施形態１に係るペン型電子辞書を用いた読み取り開始位置合わせの概要を示す概要図である。
【図５】本発明の実施形態３に係る先端部を構成する透過部の外観を示す外観図である。
【発明を実施するための形態】
【００１０】
〔実施形態１〕
以下、本発明の実施形態１について、図１〜４を用いて詳細に説明する。
【００１１】
（ペン型電子辞書の構成）
本実施形態に係るペン型電子辞書１００の構成について、図１を用いて以下に説明する。図１は、ペン型電子辞書１００の外観を示す外観図である。
【００１２】
ペン型電子辞書１００は、筐体１、操作部２、表示部３、先端部４、および窓５を備えている。ペン型電子辞書１００は、スキャナを手動で読み取り対象に当ててなぞるスキャン操作をユーザが実施することにより、読み取り対象の画像を取得するための走査が実行される画像読取機である。ペン型電子辞書１００は、紙面を読み取った画像について文字認識を行って単語を抽出し、当該単語の意味および用例などをユーザに提供することができる。文字認識は、ＯＣＲ（optical character recognition：光学文字認識）によって行うことができる。ユーザは、ペンを持つようにしてペン型電子辞書１００の筐体１を把持し、読み取りを所望する紙面上の文字列の先頭文字の始端に先端部４の先端面６を押し当てた後、末尾文字の終端まで、当該文字列をなぞるように当該ペン型電子辞書１００全体を動かすことで、文字列を読み取ることができる。すなわち、ユーザは、マーカーペンで文字列上に線を引くようにペン型電子辞書１００を動かすことで、画像の読み取りを実行することができる。なお、以下の説明において、ペン型電子辞書１００を文字列と平行に移動させて画像を読み取る際、先端部４の先端側を上流と呼称し、一方、筐体１の末端側を下流と呼称するものとする。
【００１３】
筐体１は、ペン型電子辞書１００の内部部品を収納している。本実施形態において、筐体１は、ほぼ直方体に近い形状を備えている。筐体１は、ユーザがペン型電子辞書１００を把持するために好適な形状であれば、どのような形状であってもよい。例えば、筐体１の一部に滑り止めとなる構成を備えるものであってもよい。
【００１４】
操作部２は、ペン型電子辞書１００に対するユーザの操作を受け付けるものである。図示の例では、操作部２は、筐体１に備え付けられた、１つの十字キー、１つの大ボタン、および２つの小ボタンで構成されている。なお、操作部２は、ユーザの操作を受け付けることができる構成であれば、どのような構成であってもよい。例えば、操作部２は、表示部３と一体に構成されたタッチセンサを含む構成であってもよい。
【００１５】
表示部３は、ペン型電子辞書１００にて用いられる各種画像を表示する、筐体１と一体に構成されたディスプレイである。表示部３は、例えばＬＣＤ（Liquid Crystal Display）、有機ＥＬディスプレイ（ＯＥＬＤ：Organic Electroluminescence Display）などによって構成される。
【００１６】
先端部４は、ペン型電子辞書１００を使用する際、紙面上の文字を含む画像を読み取るために読み取り対象の画像に当てられる。先端部４は、内部に位置検出センサ２１およびイメージスキャナ２２を備える。また、先端部４は、先端面６を備えており、さらに、スキャナ開口部１１（スキャナ窓部）、位置検出用開口部１２、窓５を備えている。
【００１７】
位置検出センサ２１は、イメージスキャナ２２によって撮像された読み取り対象の走査位置を取得する。位置検出センサ２１は、例えば、赤外線センサによって構成される。前記赤外線センサは、ペン型電子辞書１００の先端部４が、読み取り対象に読み取り可能な距離にまで近づいているか否かを検知することも行う。つまり、前記赤外線センサの検出値によって、ペン型電子辞書１００は、自身が読み取り対象文字をなぞっている状態か、あるいは、当該ペン型電子辞書１００が文字から離れている状態かを検知することができる。以下では、ユーザが実施するスキャン操作のこと、すなわち、ペン型電子辞書１００を読み取り対象の文字列にあてがって、文字列を読み進める方向になぞっていくことを「なぞり」と称する。
【００１８】
イメージスキャナ２２は、文字列などの読み取り対象を走査することにより、読み取り対象の内容を電気的信号に変換して、画像を構成する画素情報を取得する。イメージスキャナ２２は、当該イメージスキャナが走査可能である読み取り可能範囲に対して読み取りを行い、当該読み取り可能範囲に含まれる紙面の情報を画像として取得する。
【００１９】
先端面６は、ペン型電子辞書１００を使用する際、読み取りを所望する紙面に当てられる面である。先端面６は、当該先端面６を、読み取りを所望する紙面に押し当てたときに、筐体１の表示部３を備える面が上側になるように、筐体１の長軸方向に対して斜めに切り落とされた形状を備えている。すなわち、ユーザはペン型電子辞書１００の筐体１を把持し、先端部４の先端面を紙面に押し付ける際、表示部３が上側になるように、当該ペン型電子辞書１００を斜めに立てることができる。このとき、先端部４の先端面は、紙面に接触する底面となる。先端面６は、紙面に当てられることが好適な構成であればどのようなものであってもよい。本実施形態において、先端面６は、平滑な面として構成されている。
【００２０】
スキャナ開口部１１は、読み取る紙面に対して、イメージスキャナ２２を露出させるように、イメージスキャナ２２と適合させて先端面６に設けられた開口である。換言すれば、スキャナ開口部１１は、読み取り対象の画像からイメージスキャナ２２への光が通過するスキャナ窓部として機能する。スキャナ開口部１１は、ペン型電子辞書１００の読み取り方向と平行な方向に短辺を持つ、長方形状である。イメージスキャナ２２は、スキャナ開口部１１の開口領域内に読み取り可能範囲を適合させて動作するため、透過部１０を経由せず、読み取り対象を直接読み取ることができる。ここで、スキャナ開口部１１が開口されていない構成の場合、すなわち、スキャナ開口部１１の位置が透明部材によって塞がれた構成の場合、スキャナ開口部１１の位置にある透明部材が紙面と接触するため、当該透明部材に傷が付く可能性がある。その結果、紙面をスキャンした時に、傷も読み取ってしまうことになる。本実施形態に係るペン型電子辞書１００は、スキャナ開口部１１が開口であるため、上記のような透過部材に傷が付くことがなく、問題は生じない。
【００２１】
位置検出用開口部１２は、読み取る紙面に対して、位置検出センサ２１を露出させるように、位置検出センサ２１と適合させて先端面６に設けられた開口である。位置検出用開口部１２は、スキャナ開口部１１とは異なる位置に設けられた、ほぼ正方形状である。
【００２２】
窓５は、ペン型電子辞書１００を使用する際、読み取りを所望する紙面に対するイメージスキャナ２２の相対位置を確認できるように設けられている。窓５は、ユーザが窓５を覗き込むことにより、読み取り対象の画像の始端および終端を確認することが可能なように構成されている。窓５の詳細については後述する。
【００２３】
（先端部の構成）
先端部４の詳細について、図２および図３を用いて説明する。図２は、先端部４を示す三面図である。図３の（ａ）は、透過部１０の先端面６の外観を示す外観図である。図３の（ｂ）は、先端部４の骨格である支持部２０の外観を示す外観図である。
【００２４】
先端部４は、筐体１の先端に接続され、画像の読み取りを行うように構成されている。ユーザは、先端部４を、読み取りを所望する紙面上の画像に先端面６を当ててペン型電子辞書１００を使用する。これにより、位置検出センサ２１が紙面上の位置情報を取得し、イメージスキャナ２２が当該紙面の情報を画像として取得することによって、画像の読み取りを行うことができる。先端部４は、ユーザが窓５を先端面６に対向する対向面７側から覗き込んで、読み取りを所望する紙面上の文字列の先頭文字の始端および末尾文字の終端が、イメージスキャナ２２の読み取り可能範囲内に含まれているか否かを確認することができる。
【００２５】
先端部４は、透過部１０および支持部２０が積層されて構成されている。
【００２６】
透過部１０は、透明部材によって、先端部４の先端面６を含むように形成されている。すなわち、透過部１０は、先端部４の先端面６を構成するため、筐体１の長軸方向に対して斜めに切り落とされた形状を備えている。上述のように、透過部１０は、スキャナ開口部１１および位置検出用開口部１２の位置がそれぞれ開口されている。また、透過部１０は、窓５の領域（スキャナ開口部１１を除く）の対向面７側が露出されている。これにより、透過部１０は、先端面６を読み取りを所望する紙面に当ててペン型電子辞書１００を使用する際、紙面の情報を透過することができる。より具体的には、透過部１０は、ユーザが窓５を覗き込んだとき、窓５の透過部１０を通して紙面の情報を確認することができる。ここで、窓５とは、スキャナ開口部１１と、対向面７側が露出した透過部１０のうち、スキャン操作による移動方向の上流側の上流側窓部１７、および下流側の下流側窓部１８とを含む領域をいう。窓５の領域の透過部１０は、先端面６を透過した紙面の情報を確認することが容易な構成であることが好適である。例えば、透過部１０は、先端面６に対向する対向面７について、平板状であることが好適である。
【００２７】
上流側窓部１７は、ペン型電子辞書１００を用いたスキャン操作によりイメージスキャナ２２が移動する方向に沿って、スキャナ開口部１１の上流側に、読み取り対象の画像を視認可能となるように設けられた領域である。上流側窓部１７は突起１３を備え、窓５から当該上流側窓部１７を覗き込んだ場合に、突起１３、読取範囲指示線１４、読取範囲中央線１５、および当該上流側窓部１７を透過した紙面上の画像を視認できることが好適である。すなわち、本実施形態に係る上流側窓部１７の透明部材は、スキャナの撮像範囲の中心を示す線である読取範囲中央線１５、および、スキャナの撮像範囲の境界を示す線である読取範囲指示線１４を備えている。
【００２８】
下流側窓部１８は、ペン型電子辞書１００を用いたスキャン操作によりイメージスキャナ２２が移動する方向に沿って、スキャナ開口部１１の下流側に、読み取り対象の画像を視認可能となるように設けられた領域である。下流側窓部１８は読取開始位置マーカー１６を備え、窓５から当該下流側窓部１８を覗き込んだ場合に、読取開始位置マーカー１６および当該下流側窓部１８を透過した紙面上の画像を視認できることが好適である。
【００２９】
支持部２０は、不透明部材によって構成され、透過部１０の内壁に沿って設けられ、かつ、筐体１に接続されている。支持部２０の内部には、位置検出センサ２１およびイメージスキャナ２２が固定されている。また、支持部２０は切欠部２３を備えており、透過部１０の窓５の領域（スキャナ開口部１１を除く）の対向面７側を露出させている。すなわち、先端部４は、切欠部２３により、スキャナ開口部１１を含む窓５（上流側窓部１７、下流側窓部１８）の領域には、支持部２０を構成する不透明部材が設けられていない。これにより、上述したように、ユーザは、窓５を通して、紙面上の画像および透過部１０に設けられた後述するマーカーを確認できる。
【００３０】
（透過部のマーカー）
透過部１０に設けられたマーカーについて、以下に説明する。透過部１０は、上流側窓部１７に、突起１３、読取範囲指示線１４、読取範囲中央線１５を備えるとともに、下流側窓部１８に、読取開始位置マーカー１６を備えている。
【００３１】
突起１３（上流側マーカー）は、上流側窓部１７に設けられた、スキャナ開口部１１の内側に向かって突き出た突起である。突起１３は、スキャナ開口部１１の端部のうち、スキャナ操作による移動方向の上流側に位置する、スキャナ開口部１１の端部の中央に配置される。換言すれば、突起１３は、上流側窓部１７の透明部材が備える、スキャナ開口部１１の読み取り方向に対する上流側の端部の位置を示す上流側マーカーである。突起１３は、イメージスキャナ２２の撮像範囲の中心に合わせて設けられるのが好適であるが、他の位置に設けてもよい。また、突出した形状が好ましいが、スキャナ開口部１１の上流端を示すものであれば、突出した形状でなくてもよい。
【００３２】
読取範囲指示線１４（上流側境界マーカー）は、上流側窓部１７に設けられた、イメージスキャナ２２による読み取り可能範囲の境界線を示す２本の直線である。ペン型電子辞書１００は、２本の読取範囲指示線１４で挟まれた範囲内の文字を読み取り、認識することができる。読取範囲指示線１４は、ユーザが窓５を覗き込んだときに見えるように構成されている。なお、読取範囲指示線１４は先端面６ではなく、先端面６に対向する対向面７側の透過部１０に印刷されることが好適である。なお、本実施形態では、読取範囲指示線１４は、透過部１０の先端からスキャナ開口部１１の端部近辺まで引いた２本の互いに平行な実線であるが、他の形状であっても良い。透過部１０の先端とは、ペン型電子辞書１００全体の先端であり、透過部１０の先端の周縁を示す。
【００３３】
読取範囲中央線１５は、上流側窓部１７に設けられた、イメージスキャナ２２による読み取り可能範囲の中央を示す直線である。すなわち、読取範囲中央線１５は、２本の読取範囲指示線１４のそれぞれと互いに平行であり、かつ２本の読取範囲指示線１４の中央に配置される。読取範囲中央線１５は、ユーザが窓５を覗き込んだときに見えるように構成されている。読取範囲中央線１５は先端面６ではなく、先端面６に対向する対向面７側の透過部１０に印刷されることが好適である。また、読取範囲中央線１５は、ユーザが読み取りを所望する文字の確認が容易となるように、実線よりも点線の方が好適である。なお、本実施形態では、読取範囲中央線１５は、透過部１０の先端から突起１３まで引いた直線であるが、他の形状であってもよい。
【００３４】
読取開始位置マーカー１６（下流側マーカー）は、下流側窓部１８に設けられた、スキャナ開口部１１の下流側の端部の位置を示すマーカーである。また、読取開始位置マーカー１６は、イメージスキャナ２２の読み取り可能範囲の中央を示すものであってもよい。なお、読取開始位置マーカー１６が先端面６に印刷されている場合、先端面６が紙面と接触および摩擦することにより、当該読取開始位置マーカー１６が消えてしまう可能性がある。そのため、読取開始位置マーカー１６は、先端面６ではなく、先端面６に対向する対向面７側の透過部１０に印刷されることが好適である。また、ペン型電子辞書１００を使用する際、先端面６よりも対向面７の方がよりユーザの目に近い位置にあるため、読取開始位置マーカー１６が対向面７側に印刷されている方が、ユーザが当該読取開始位置マーカー１６を視認しやすいというメリットがある。また、本実施形態では、読取開始位置マーカー１６は三角のマークにて示されるが、他の形状であってもよい。
【００３５】
読取開始位置マーカー１６および突起１３を共にイメージスキャナ２２の読み取り可能範囲の中央に配設した場合、読取開始位置マーカー１６は、突起１３とスキャナ開口部１１を挟んで、対向して配置されることになる。そのため、窓５を見たユーザは、突起１３に基づいて、読取開始位置マーカー１６に気づき、読取開始位置マーカー１６が示すスキャナ開口部１１の下流側の端部中央を推測することができる。このことは、後述するように、ペン型電子辞書１００を使用する際、ユーザが真上から窓５を覗き込んだ場合、下流側窓部１８は支持部２０に遮られて確認できない位置にあるが、覗き込むように視線の角度を変えると、確認できる位置にあるため、スキャナ開口部１１の下流側の端部へユーザの視線を誘導できて有利である。
【００３６】
以上をまとめると、上流側窓部１７は、ペン型電子辞書１００を用いたスキャン操作によりイメージスキャナ２２が移動する方向に沿って、スキャナ開口部１１の上流側に、読み取り対象の画像を視認可能となるように設けられた領域である。ユーザは、上流側窓部１７を覗き込んだ場合に、突起１３、読取範囲指示線１４、読取範囲中央線１５、および当該上流側窓部１７を透過した紙面上の画像を視認できる。
【００３７】
また、下流側窓部１８は、ペン型電子辞書１００を用いたスキャン操作によりイメージスキャナ２２が移動する方向に沿って、スキャナ開口部１１の下流側に、読み取り対象の画像を視認可能となるように設けられた領域である。ユーザは、下流側窓部１８を覗き込んだ場合に、読取開始位置マーカー１６および当該下流側窓部１８を透過した紙面上の画像を視認できる。
【００３８】
（読み取り開始位置の確認方法）
ペン型電子辞書１００が文字の読み取りを開始する際、ユーザが紙面上の読み取りを所望する文字列の先頭文字の始端、およびイメージスキャナ２２の読み取り開始位置を確認する方法について、図４を用いて説明する。なお、文字列の末尾文字の終端についても同様である。図４は、本実施形態に係るペン型電子辞書１００を用いた、読み取り開始位置の確認方法を示す概要図である。
【００３９】
図４の（ａ）は、ペン型電子辞書１００について、先端面６を紙面に当てた状態を横から見た図である。図示の例において、支持部２０内部に描かれた、紙面に対して垂直である２本の点線は、窓５を真上から覗き込んだ場合に見える範囲を示す。また、図中の長鎖線は、図３の（ｂ）における切欠部２３に相当する。すなわち、上流側窓部１７および下流側窓部１８の領域には、支持部２０を構成する不透明部材が設けられていない。ゆえに、ユーザが図のような角度で窓５を覗き込むと、切欠部２３によって切り欠かれた支持部２０の領域を通して、透過部１０の下流側窓部１８および読取開始位置マーカー１６を確認することができる。
【００４０】
ここで、イメージスキャナ２２による読み取り可能範囲は、スキャナ開口部１１に含まれる。すなわち、読み取り可能範囲は、読取開始位置マーカー１６よりも上流に存在する。しかし、ユーザは、読取開始位置マーカー１６によって、その少し上流側に読み取り開始位置があると把握することができる。したがって、ユーザは、読み取りを所望する紙面上の文字列について、当該文字列の先頭文字の始端を、イメージスキャナ２２の読み取り開始位置に揃えることができる。すなわち、図４の（ｂ）のように、読み取りを所望する文字列の先頭文字の始端を、読取開始位置マーカー１６よりも少し下流に設定することにより、イメージスキャナ２２によって先頭文字を正しく読み取ることができる。
【００４１】
図４の（ｂ）を参照しながら、具体的に説明する。例えば、紙面上に「Ａ  ｋｎｏｗｌｅｄｇｅ  ｉｓ  ……」という英文が存在し、ユーザが「ｋｎｏｗｌｅｄｇｅ」という単語を読み取りたい場合を考える。このときユーザは、イメージスキャナ２２の読み取り開始領域について、その読み取り開始位置が「ｋｎｏｗｌｅｄｇｅ」の「ｋ」の手前となるように、当該ペン型電子辞書１００を配置しなければならない。
【００４２】
図４の（ｂ）は、ペン型電子辞書１００について、先端面６を紙面に当て、かつ先端部４の先端が読み取り方向の上流側になるよう配置したときに、ユーザが下流側窓部１８を覗き込むように視線の角度を変えた場合に視認できる内容を示す。すなわち、対向面７側から見た状態を示す。図示の例によれば、窓５の中には、上流側窓部１７、スキャナ開口部１１、および下流側窓部１８が含まれる。それゆえ、ユーザは、先端部４が備えるスキャナ開口部１１、上流側窓部１７、および下流側窓部１８を用いて読み取り対象の画像を視認することができる。
【００４３】
この例では、下流側窓部１８が備えている読取開始位置マーカー１６が「ｋｎｏｗｌｅｄｇｅ」の「ｋ」の手前を示している。この状態は、読取開始位置マーカー１６が読み取り方向に対して、読み取りを所望する紙面上の文字列の先頭文字の始端が下流となった状態であり、ユーザがこの位置から読み取ることで、文字列を始端から適切にスキャンできる。
【００４４】
また、ユーザは、上流側窓部１７が備えている読取範囲指示線１４および読取範囲中央線１５に基づいて、読み取りを所望する紙面上の文字列が、上下方向については読取範囲指示線１４が示す範囲内、かつ読取範囲中央線１５に文字の中央が重なるように、当該文字の位置を合わせることができる。すなわち、ユーザは、文字列をなぞるようにペン型電子辞書１００を移動したときに、当該文字列全体がイメージスキャナ２２の読み取り可能範囲内に収まるように当該ペン型電子辞書１００を配置できる。
【００４５】
本実施形態に係るペン型電子辞書１００は、紙面に対する垂直方向から読み取り方向に傾けた状態で、紙面上の文字列を含む画像を読み取ることができる。ユーザは、先端部４に設けられた窓５を覗き込むことにより、読み取りを所望する文字列について、読取範囲指示線１４および読取範囲中央線１５に基づいて読み取り方向に対する位置決めをすることができる。さらに、ユーザは、支持部２０に設けられた切欠部２３を通して、透過部１０に設けられた読取開始位置マーカー１６を確認し、イメージスキャナ２２の読取開始位置を把握することができる。これにより、ユーザは、読み取りを所望する文字列の開始文字の始端を、イメージスキャナ２２の読み取り開始位置に揃えることができる。したがって、ユーザが読み取りを所望する画像の始端および終端をユーザが確認することができる。
【００４６】
〔実施形態２〕
本発明の実施形態２について、図２を用いて以下に説明する。本実施形態に係るペン型電子辞書１００は、基本的な構成は前記実施形態１と同一であるが、読取開始位置マーカー１６の構成が一部異なる。なお、説明の便宜上、前記実施形態にて説明した部材と同じ機能を有する部材については、同じ符号を付記し、その説明を省略する。
【００４７】
（ペン型電子辞書の構成）
上記実施形態１において、読取開始位置マーカー１６は三角のマークであったが、ユーザが当該読取開始位置マーカー１６を確認し、イメージスキャナ２２の読み取り開始位置を把握することが可能なものであれば、どのようなものであってもよい。例えば、読取開始位置マーカー１６は、上流側窓部１７が備えている読取範囲中央線１５と同様の点線であってもよい。これにより、ユーザは、読み取りを所望する文字列について、その中央が点線の読取範囲中央線１５および読取開始位置マーカー１６に重畳するように配置することができる。したがって、ユーザが読み取りを所望する画像の始端および終端をユーザが確認し、中央をイメージスキャナ２２の読み取り可能範囲の中央に合わせることができる。
【００４８】
上記実施形態１において、読取範囲指示線１４、読取範囲中央線１５、および読取開始位置マーカー１６は、透過部１０の先端面６に対向する平板状の面（対向面７）に印刷されたものであった。しかし、読取範囲指示線１４、読取範囲中央線１５、および読取開始位置マーカー１６は、例えば透過部１０の先端面６対向する対向面７に、溝または突起として形成されたものであってもよい。読取範囲指示線１４、読取範囲中央線１５、および読取開始位置マーカー１６が溝である場合は、先端面６および対向面７のいずれに形成されたものであってもよい。読取範囲指示線１４、読取範囲中央線１５、および読取開始位置マーカー１６が突起である場合は、先端面６を面一に維持する方がペン型電子辞書１００によるなぞりに好適であるため、これらは対向面７に形成されていることが好ましい。また、下流側窓部１８の透明部材は、イメージスキャナ２２の撮像範囲の境界を示す下流側境界マーカーとして、読取範囲指示線１４を備える構成であってもよい。
【００４９】
〔実施形態３〕
本発明の実施形態３について、図５を用いて以下に説明する。本実施形態に係るペン型電子辞書１００は、基本的な構成は前記実施形態１と同一であるが、透過部の構成が一部異なる。なお、説明の便宜上、前記実施形態にて説明した部材と同じ機能を有する部材については、同じ符号を付記し、その説明を省略する。
【００５０】
（透過部の構成）
実施形態１では、読み取り対象の画像からイメージスキャナ２２への光を通過させるために、透過部１０にはスキャナ開口部１１が設けられていた。すなわち、スキャナ開口部１１の位置には、不透明部材も透明部材も設けられていなかった。これに対して、本実施形態では、透過部１０ｂにはスキャナ透過部１１ｂが設けられている。スキャナ透過部１１ｂは、透明部材よりなり、その位置には上流側窓部１７および下流側窓部１８と同様に不透明部材が設けられていない。これにより、読み取り対象の画像からの光が透過部１０を透過してイメージスキャナ２２へ到達できるようになっている。
【００５１】
以下、詳細に説明する。本実施形態に係るペン型電子辞書１００は、スキャナ透過部１１ｂは、イメージスキャナ２２と適合する点はスキャナ開口部１１と同じであるが、開口はされておらず、上流側窓部１７および下流側窓部１８と同様に、透明部材が設けられている点が異なる。透過部１０ｂは、スキャナ透過部１１ｂを含めて全体を一体成型することが好ましい。これにより、スキャナ透過部１１ｂ周辺の領域における割れおよび欠けを防止することができる。
【００５２】
上述のように、ペン型電子辞書１００は、使用の際、スキャナ透過部１１ｂを含む透過部１０ｂの先端面６が紙面に当てられ、さらに読み取り対象上を移動する。このとき、紙面との接触および摩擦によって、スキャナ透過部１１ｂに位置する透明部材には傷がつくおそれがある。そして、スキャナ透過部１１ｂに位置する透明部材に傷がつくと、イメージスキャナ２２がその傷を読み取ってしまうため、イメージスキャナ２２による読み取り精度の低下を招く。さらに、ユーザがスキャナ透過部１１ｂを通して読み取り対象を確認する際、スキャナ透過部１１ｂに位置する透明部材の傷により、読み取り対象の視認が困難となる。そのため、スキャナ透過部１１ｂに位置する透明部材は、強化ガラス等の傷のつきにくい材料で構成されていることが好適である。このとき、透過部１０の、スキャナ透過部１１ｂ以外の領域は、スキャナ透過部１１ｂに位置する透明部材と同じ材料で構成されてもよいし、別の透明部材で構成されてもよい。
【００５３】
本実施形態のように、スキャナ透過部１１ｂが設けられる場合、実施形態１の突起１３に代えて、例えば、上流側窓部１７の端部に読取開始位置マーカー１６と対向するように、上流側中央マーカー１３ｂを設けてもよい。
【００５４】
〔変形例〕
上記各実施形態において、ペン型電子辞書１００が読み取る画像は文字列でなくてもよい。例えば、ペン型電子辞書１００は、バーコード、ＱＲコード（登録商標）、およびその他の画像であってもよい。このとき、始端および終端が存在する画像の読み取りに好適である。
【００５５】
〔まとめ〕
本発明の態様１に係る画像読取機（ペン型電子辞書１００）は、スキャナ（イメージスキャナ２２）を手動で読み取り対象に当ててなぞるスキャン操作をユーザが実施することにより、読み取り対象の画像を取得するための走査が実行される画像読取機であって、上記読み取り対象の画像に当てられる先端部（４）に、上記読み取り対象の画像から上記スキャナへの光が通過するスキャナ窓部（スキャナ開口部１１、スキャナ透過部１１ｂ）と、上記スキャン操作により上記スキャナが移動する方向に沿って、上記スキャナ窓部の上流側に、上記読み取り対象の画像を視認可能な上流側窓部（１７）と、上記方向に沿って、上記スキャナ窓部の下流側に、上記読み取り対象の画像を視認可能な下流側窓部（１８）と、を備える構成である。
【００５６】
上記の構成によれば、画像読取機は、スキャナ窓部、上流側窓部、および下流側窓部を備える先端部を読み取り対象の画像に当ててなぞるスキャン走査によって、読み取り対象の画像を取得するための走査を実行する。ユーザは、走査を実行するにあたって、先端部が備えるスキャナ窓部、上流側窓部とともに、特に、下流側窓部を用いて読み取り対象の画像を視認することができる。ゆえに、読み取り対象の画像を取得するための走査の開始位置を、視認した内容に基づいて設定することができる。これにより、ユーザが読み取りを所望する画像の始端および終端をユーザが確認することができる画像読取機を提供することができるという効果を奏する。
【００５７】
本発明の態様２に係る画像読取機（ペン型電子辞書１００）は、上記態様１において、上記先端部（４）は、透明部材（透過部１０、１０ｂ）と不透明部材（支持部２０）が積層されてなり、上記上流側窓部（１７）および上記下流側窓部（１８）の領域には、上記不透明部材が設けられていない構成としてもよい。
【００５８】
上記の構成によれば、画像読取機は、透明部材と不透明部材が積層された先端部を備えている。先端部の上流側窓部の領域とともに、特に、下流側窓部の領域には不透明部材が設けられていないため、ユーザは、上流側窓部および下流側窓部の下にある読み取り対象の画像を視認することができる。ゆえに、読み取り対象の画像を取得するための走査の開始位置を、視認した内容に基づいて設定することができる。
【００５９】
本発明の態様３に係る画像読取機（ペン型電子辞書１００）は、上記態様２において、上記下流側窓部（１８）の上記透明部材（透過部１０、１０ｂ）に、上記スキャナ窓部（スキャナ開口部１１、スキャナ透過部１１ｂ）の上記下流側の端部の位置を示す下流側マーカー（読取開始位置マーカー１６）を備える構成としてもよい。
【００６０】
上記の構成によれば、下流側マーカーは、下流側窓部において、スキャナ窓部の下流側の端部の位置を示す。ユーザは、下流側マーカーを確認することにより、スキャナ窓部の下流側の端部の位置を把握することができる。これにより、ユーザが読み取りを所望する画像の始端および終端を下流側マーカーに基づいて設定することができる。
【００６１】
本発明の態様４に係る画像読取機（ペン型電子辞書１００）は、上記態様３において、上記下流側マーカー（読取開始位置マーカー１６）は、上記スキャナ（イメージスキャナ２２）の撮像範囲の中心を示す構成としてもよい。
【００６２】
上記の構成によれば、下流側マーカーは、下流側窓部において、スキャナの撮像範囲の中心を示す。ユーザは、下流側マーカーに基づいて、スキャナの撮像範囲を把握することができる。これにより、ユーザが読み取りを所望する画像の始端および終端を下流側マーカーに基づいて設定することができる。
【００６３】
本発明の態様５に係る画像読取機（ペン型電子辞書１００）は、上記態様２から４の何れかにおいて、上記下流側窓部（１８）の上記透明部材（透過部１０、１０ｂ）に、上記スキャナ（イメージスキャナ２２）の撮像範囲の境界を示す下流側境界マーカー（読取範囲指示線１４）を備える構成としてもよい。
【００６４】
上記の構成によれば、下流側境界マーカーは、下流側窓部において、スキャナの撮像範囲の境界を示す。ユーザは、下流側窓部の透明部材に、スキャナの撮像範囲の境界を示す下流側境界マーカーを確認することができる。ユーザは、下流側境界マーカーに基づいて、読み取りを所望する画像のうち、スキャナの撮像範囲より下流にある画像について、当該撮像範囲内に収まるように画像読取機を配置することができる。
【００６５】
本発明の態様６に係る画像読取機（ペン型電子辞書１００）は、上記態様２から５の何れかにおいて、上記上流側窓部（１７）の上記透明部材（透過部１０、１０ｂ）に、上記スキャナ窓部（スキャナ開口部１１、スキャナ透過部１１ｂ）の上記上流側の端部の位置を示す上流側マーカー（突起１３、上流側中央マーカー１３ｂ）を備える構成としてもよい。
【００６６】
上記の構成によれば、上流側マーカーは、上流側窓部において、スキャナ窓部の上流側の端部の位置を示す。ユーザは、上流側マーカーに基づいて、スキャナ窓部の上流側の端部の位置を確認することができる。
【００６７】
本発明の態様７に係る画像読取機（ペン型電子辞書１００）は、上記態様６において、上記上流側マーカー（突起１３、上流側中央マーカー１３ｂ）は、上記スキャナ（イメージスキャナ２２）の撮像範囲の中心を示す構成としてもよい。
【００６８】
上記の構成によれば、上流側マーカーは、上流側窓部において、スキャナの撮像範囲の中心を示す。ユーザは、上流側マーカーに基づいて、スキャナの撮像範囲の中心を確認することができる。これにより、ユーザが読み取りを所望する画像の始端および終端を上流側マーカーに基づいて設定することができる。
【００６９】
特に、スキャナ開口部の上流側の端部および下流側の端部に、スキャナの撮像範囲の中心を示す上流側マーカーおよび下流側マーカーを配置すれば、ユーザは、上流側マーカーに基づいて下流側マーカーを確認することができる。したがって、ユーザは、上流側マーカーに基づいて下流側マーカーを確認することができ、上流側マーカーに基づいてスキャナの撮像範囲の中心を確認することができる。
【００７０】
本発明の態様８に係る画像読取機（ペン型電子辞書１００）は、上記態様２から７の何れかにおいて、上記上流側窓部（１７）の上記透明部材（透過部１０、１０ｂ）に、上記スキャナ（イメージスキャナ２２）の撮像範囲の境界を示す上流側境界マーカー（読取範囲指示線１４）を備える構成としてもよい。
【００７１】
上記の構成によれば、上流側境界マーカーは、上流側窓部において、スキャナの撮像範囲の境界を示す。ユーザは、上流側境界マーカーに基づいて、スキャナの撮像範囲の境界を確認することができる。これにより、ユーザは、読み取り対象がスキャナの撮像範囲内に収まるように、当該読み取り対象の位置を調整することができる。
【００７２】
本発明の態様９に係る画像読取機（ペン型電子辞書１００）は、上記態様２から７の何れかにおいて、上記上流側窓部（１７）の上記透明部材（透過部１０、１０ｂ）に、上記スキャナ（イメージスキャナ２２）の撮像範囲の中心を示す線（読取範囲中央線１５）、および、上記スキャナの撮像範囲の境界を示す線（読取範囲指示線１４）を備える構成としてもよい。
【００７３】
上記の構成によれば、画像読取機は、上流側窓部の透明部材に、スキャナの撮像範囲の中心を示す線、および、スキャナの撮像範囲の境界を示す線を備えている。ユーザは、スキャナの撮像範囲の中心を示す線、および、スキャナの撮像範囲の境界を示す線に基づいて、読み取り対象の位置を調整することができる。これにより、ユーザは、読み取り対象がスキャナの撮像範囲内に収まるように、当該読み取り対象の位置を調整することができる。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７５】
１００  ペン型電子辞書（画像読取機）
１  筐体
２  操作部
３  表示部
４  先端部
５  窓
１０  透過部（透明部材）
１０ｂ  透過部（透明部材）
１１  スキャナ開口部（スキャナ窓部）
１１ｂ  スキャナ透過部（スキャナ窓部）
１２  位置検出用開口部
１３  突起（上流側マーカー）
１３ｂ  上流側中央マーカー（上流側マーカー）
１４  読取範囲指示線（上流側境界マーカー）
１５  読取範囲中央線（撮像範囲の中心を示す線）
１６  読取開始位置マーカー（下流側マーカー）
１７  上流側窓部
１８  下流側窓部
２０  支持部（不透明部材）
２１  位置検出センサ
２２  イメージスキャナ（スキャナ）
２３  切欠部
【図１】
2018077645.tif 000003
【図２】
2018077645.tif 000004
【図３】
2018077645.tif 000005
【図４】
2018077645.tif 000006
【図５】
2018077645.tif 000007